(57)【要約】【課題】それぞれのユーザに適したインターフェースを表示可能な表示制御装置等を提供する。【解決手段】テレビジョン受像機（１００）は、ホーム画面が表示面（５２）表示されている場合に、リモコンを用いた操作によってテレビジョン番組の視聴が開始された場合は、入力面（４１）に接触したことが検知された後に、リモコンインターフェースを表示面（５２）に表示し、入力面（４１）に対する接触によってテレビジョン番組の視聴が開始された場合は、接触したことがさらに検知された後に、テレビ番組表を表示面（５２）に表示する画面出力部（１５）を備えている。【選択図】図１
2015060468.tif 000002
【特許請求の範囲】
【請求項１】
ユーザによる操作が入力面に接触したことを検知する検知手段と、前記入力面とは異なる入力機器を用いたユーザによる操作を取得する取得手段とを備えた表示制御装置であって、
前記ユーザによる操作を待ち受ける画面が表示面に表示されている場合に、
前記取得手段によって取得された操作によってコンテンツの視聴が開始されたときは、前記検知手段によって接触したことが検知された後に、第１の入力インターフェースを前記表示面に表示し、
前記検知手段によって検知された接触によって前記コンテンツの視聴が開始されたときは、前記検知手段によってさらに接触したことが検知された後に、前記第１の入力インターフェースとは異なる第２の入力インターフェースを前記表示面に表示する表示手段を備えたことを特徴とする表示制御装置。
【請求項２】
前記ユーザによる操作を待ち受ける画面が前記表示面に表示されているときの前記ユーザによる操作の履歴を、所定の記憶部に格納する格納手段をさらに備え、
前記表示手段は、前記所定の記憶部に格納した前記ユーザによる操作の履歴が、
前記取得手段によって取得された前記入力機器を用いた操作である場合は、前記第１の入力インターフェースを表示し、
前記検知手段によって検知された前記入力面に対する接触である場合は、前記第２の入力インターフェースを表示することを特徴とする請求項１に記載の表示制御装置。
【請求項３】
前記ユーザによる操作を待ち受ける画面が前記表示面に表示されているときに、前記取得手段によって取得される前記入力機器を用いた操作と、前記第１の入力インターフェースを表示する第１のコマンドとが対応付けられており、
前記ユーザによる操作を待ち受ける画面が前記表示面に表示されているときに、前記検知手段によって検知される前記入力面に対する接触と、前記第２の入力インターフェースを表示する第２のコマンドとが対応付けられており、
前記表示手段は、前記コンテンツの視聴が開始された後、前記検知手段によって接触したことが検知された場合、前記ユーザによる操作を待ち受ける画面が前記表示面に表示されているときに、前記取得手段によって前記入力機器を用いた操作が取得されたか、または、前記検知手段によって前記入力面に対する接触が検知されたかに応じて、前記操作または前記接触にそれぞれ対応付けられたコマンドを実行することによって、前記第１の入力インターフェースまたは前記第２の入力インターフェースを表示することを特徴とする請求項１または２に記載の表示制御装置。
【請求項４】
前記表示手段は、前記入力機器を用いた少なくとも一部の操作によって入力される情報を入力可能なグラフィカルユーザインターフェースを、前記入力機器と同じ形態または異なる形態で、前記第１の入力インターフェースとして表示することを特徴とする請求項１から３のいずれか１項に記載の表示制御装置。
【請求項５】
請求項１から４のいずれか１項に記載の表示制御装置としてコンピュータを機能させるための制御プログラムであって、コンピュータを前記各手段として機能させるための制御プログラム。
【発明の詳細な説明】
【技術分野】
【０００１】
本発明は、テレビジョン受像機の表示を制御可能な表示制御装置等に関するものである。
【背景技術】
【０００２】
近年、放送局から放送されるテレビジョン番組を視聴できるだけでなく、その他のサービス（例えば、ビデオ・オン・デマンドサービスなど）も広く利用できる「スマートテレビ」が普及し始めている。当該スマートテレビは、タブレット端末やスマートフォンなどのモバイル機器と同様に、タッチパネルを用いたインターフェースを備える。
【０００３】
上記スマートテレビにおける上記インターフェースのユーザビリティを改善しようとする技術は、従来から広く考案されてきた。例えば、下記の特許文献１には、タッチパネル上に表示されているリスト内の項目から選択対象となる項目に触れて項目を選択する、ＡＶネットワークシステムが開示されている。また、下記の特許文献２には、リモコン操作の仕様を前提として放送されるデータを利用可能なデジタル放送受信装置が開示されている。
【先行技術文献】
【特許文献】
【０００４】
【特許文献１】特開２００６−３５２２９９号公報（２００６年１２月２８日公開）
【特許文献２】特開２００７−２９５５８４号公報（２００７年１１月０８日公開）
【発明の概要】
【発明が解決しようとする課題】
【０００５】
上記スマートテレビのような新しい機器が次々と開発される現代においては、すべてのユーザがストレスなく利用できるインターフェースを用意することは難しい。上記新しい機器に採用される新しいインターフェースに対する適応力は、ユーザによって異なるからである。
【０００６】
例えば、上記新しい機器に関するリテラシーが高くないユーザ（高齢者など）は、上記タッチパネルを用いたインターフェースに抵抗感を覚える場合がある。しかし、当該抵抗感を軽減するために、例えば、テレビジョン受像機の操作に従来から用いられてきたリモートコントローラを、上記タッチパネルを用いたインターフェースとして実現すれば、上記リテラシーが高くないユーザのユーザビリティを改善することができる一方で、上記リテラシーが高いユーザのユーザビリティを損ねるおそれがある。
【０００７】
なお、上記の特許文献１および２に開示された従来の技術は、一方のユーザに配慮すれば、他方のユーザに配慮を欠くという上記トレードオフを解消可能な技術ではない。
【０００８】
本発明は、上記の問題点に鑑みてなされたものであり、その目的は、それぞれのユーザに適したインターフェースを表示可能な表示制御装置等を提供することである。
【課題を解決するための手段】
【０００９】
上記の課題を解決するために、本発明の一態様に係る表示制御装置は、ユーザによる操作が入力面に接触したことを検知する検知手段と、前記入力面とは異なる入力機器を用いたユーザによる操作を取得する取得手段とを備えた表示制御装置であって、前記ユーザによる操作を待ち受ける画面が表示面に表示されている場合に、前記取得手段によって取得された操作によってコンテンツの視聴が開始されたときは、前記検知手段によって接触したことが検知された後に、第１の入力インターフェースを前記表示面に表示し、前記検知手段によって検知された接触によって前記コンテンツの視聴が開始されたときは、前記検知手段によってさらに接触したことが検知された後に、前記第１の入力インターフェースとは異なる第２の入力インターフェースを前記表示面に表示する表示手段を備えている。
【発明の効果】
【００１０】
本発明の一態様によれば、表示制御装置は、コンテンツの視聴を開始するための操作に応じて、所定のインターフェースを表示することにより、インターフェースの操作に対する適応力が異なるユーザが混在する場合であっても、それぞれのユーザに適したインターフェースを表示することができるという効果を奏する。
【図面の簡単な説明】
【００１１】
【図１】本発明の第１の実施の形態に係るテレビジョン受像機の要部構成を示すブロック図である。
【図２】図１に示されるテレビジョン受像機の概要を示す概略図であり、（ａ）は、ホーム画面において、ユーザがリモートコントローラを用いて「ＴＶ」アイコンを選択したことにより、テレビジョン番組の視聴を開始した場合の表示画面の遷移を表し、（ｂ）は、上記ホーム画面において、ユーザがタッチパネルをタッチして「ＴＶ」のアイコンを選択したことにより、テレビジョン番組の視聴を開始した場合の表示画面の遷移を表す。
【図３】図１に示されるテレビジョン受像機が実行する処理の一例を示すフローチャートである。
【図４】本発明の第２の実施の形態に係るテレビジョン受像機の要部構成を示すブロック図である。
【図５】図４に示されるテレビジョン受像機が実行する処理の一例を示すフローチャートである。
【図６】本発明の第３の実施の形態に係るテレビジョン受像機に表示されるインターフェースの一例を表す模式図であり、（ａ）は、リモコンを用いた操作を模擬可能なリモコンインターフェースを表し、（ｂ）は、受信可能なテレビジョン番組を選択可能に表示するテレビ番組表を表す。
【発明を実施するための形態】
【００１２】
〔実施形態１〕
図１〜図３に基づいて、本発明の第１の実施の形態（実施形態１）を説明する。
【００１３】
（テレビジョン受像機１００の概要）
図２は、テレビジョン受像機１００の概要を示す概略図である。図２の（ａ）は、ホーム画面（ユーザによる操作を待ち受ける画面）において、ユーザがリモートコントローラ（入力面とは異なる入力機器、以下「リモコン」と略記する）４５を用いて「ＴＶ」アイコンを選択したことにより、テレビジョン番組（コンテンツ）の視聴を開始した場合の表示画面の遷移を表し、（ｂ）は、上記ホーム画面において、ユーザがタッチパネル（入力面４１、図１を参照して後述する）をタッチして「ＴＶ」のアイコンを選択したことにより、テレビジョン番組の視聴を開始した場合の表示画面の遷移を表す。
【００１４】
図２の（ａ）に示されるように、上記ホーム画面において、ユーザが上記リモコン４５を用いてテレビジョン番組の視聴を開始し（左図）、視聴中に上記タッチパネルをタッチした場合（中央図）、テレビジョン受像機１００は、ディスプレイ（表示面５２、図１を参照して後述する）の右側にリモコン４５を用いた操作を模擬可能なリモコンインターフェース（第１の入力インターフェース）１を表示する。
【００１５】
図２の（ｂ）に示されるように、上記ホーム画面において、ユーザが上記タッチパネルをタッチしてテレビジョン番組の視聴を開始し（左図）、視聴中に当該タッチパネルをタッチした場合（中央図）、テレビジョン受像機１００は、受信可能なテレビジョン番組を選択可能に表示するテレビ番組表（第２のインターフェース）２を表示する。
【００１６】
新しい機器に関するリテラシーが高くないユーザは、上記タッチパネルを用いたインターフェースに抵抗感を覚える場合がある。しかし、当該抵抗感を軽減するために、例えば、テレビジョン受像機の操作に従来から用いられてきたリモコンを、上記タッチパネルを用いたインターフェースとして実現するだけでは（図２の（ａ）の右図）、上記リテラシーが高くないユーザのユーザビリティを改善することができる一方で、上記リテラシーが高いユーザのユーザビリティを損ねるおそれがある。
【００１７】
そこで、テレビジョン受像機１００は、テレビジョン番組の視聴を開始するための操作に応じて、当該テレビジョン番組の視聴中に表示するインターフェースを設定する。具体的には、図２を参照して前述したように、上記ホーム画面において、ユーザが上記リモコン４５を用いてテレビジョン番組の視聴を開始した場合、当該ユーザの上記リテラシーは高くないと推測されるため、テレビジョン受像機１００は、当該リモコン４５を用いた操作を模擬可能なリモコンインターフェース１を表示する（図２の（ａ））。一方、ユーザが上記タッチパネルをタッチしてテレビジョン番組の視聴を開始した場合、当該ユーザの上記リテラシーは比較的高いと推測されるため、受信可能なテレビジョン番組を選択可能に表示するテレビ番組表２を表示する（図２の（ｂ））。
【００１８】
これにより、テレビジョン受像機１００は、それぞれのユーザに適したインターフェースを表示することができる。言い換えれば、上記テレビジョン受像機１００は、ユーザが所望するインターフェースとは異なるインターフェースが表示される頻度を減らすことができるため、「操作のしやすさ」、「操作の分かりやすさ」といったユーザビリティ（操作感）を改善することができる。
【００１９】
なお、以下では、本発明を実施可能な装置の一例として「テレビジョン受像機」を説明するが、必要な情報を入力可能であり、当該入力に基づいて任意のコンテンツを出力可能な装置でありさえすれば、当該装置はテレビジョン受像機に限定されない（例えば、タブレット端末、スマートフォン、パーソナルコンピュータなどであってもよい）。
【００２０】
また、テレビジョン受像機を一例として説明するため、従来から当該テレビジョン受像機を操作するための入力機器の一例として「リモコン」を説明するが、上記装置に対して入力を与える機器でありさえすれば、当該機器はリモコンに限定されない。したがって、「リモコンインターフェース」も、上記機器を用いて行われる操作によって入力される情報と同じ情報が入力可能となる（すなわち、上記機器を用いた少なくとも一部の操作を模擬（シミュレート）可能となる）グラフィカルユーザインターフェースでありさえすれば、当該インターフェースの表示形態も含めて、どのようなインターフェースであってもよい。言い換えれば、上記機器を用いて操作した場合と、上記インターフェースを用いて操作した場合とで、ユーザが覚える操作感が同じでありさえすればよく、上記インターフェースの表示を上記機器に似せる必要はない。
【００２１】
さらに、上記「コンテンツ」は、任意の情報源（テレビジョン放送、インターネット、ケーブルテレビ、ラジオ放送、任意の記録媒体など）から提供される個々の情報（例えば、テレビジョン番組）をいい、映像、画像、音楽、音声、文章、文字、数式、数字、記号、または、これらの組み合わせによって構成され得る。
【００２２】
（テレビジョン受像機１００の構成）
図１は、テレビジョン受像機１００の要部構成を示すブロック図である。図１に示されるように、上記テレビジョン受像機１００は、入力部４０（入力面４１、入力制御部４２、リモコン受信部４３、チューナ部４４）、制御部１０ａ（接触検知部１１、操作取得部１２、履歴格納部１３、操作判定部１４、画面出力部１５、ストリーム分離部２０、ビデオデコーダ部２１、グラフィックス処理部２２、オーディオデコーダ部２３、ブレンド部２４、ミキシング部２５）、出力部５０（表示制御部５１、表示面５２、ＤＡＣ５３、スピーカ５４）、および、記憶部３０を備えている。
【００２３】
入力部４０は、外部からの入力を受け付けるものであり、入力面４１、入力制御部４２、リモコン受信部４３、および、チューナ部４４を含む。
【００２４】
入力面４１は、ユーザがタッチした当該入力面４１における位置を示す接触信号５ａを、入力制御部４２に出力する。なお、入力面４１は、上記位置を検知可能な入力機器でありさえすれば、ハードウェアの種類はタッチパネルに限定されない。
【００２５】
入力制御部４２は、入力面４１から上記接触信号５ａが入力された場合、当該入力面４１に設定された２次元の座標軸に含まれる座標であって、上記接触信号５ａによって示される位置に対応する座標を含む座標情報５ｂを、接触検知部１１に出力する。
【００２６】
リモコン受信部４３は、リモコン４５から発信された赤外線を受信し、当該赤外線によって搬送される操作情報５ｃ（ユーザが押下したリモコン４５のボタンを特定可能な情報を含むもの）を、操作取得部１２に出力する。
【００２７】
チューナ部４４は、外部からコンテンツストリーム８ａを受信し、当該コンテンツストリーム８ａをストリーム分離部２０に出力する。ここで、上記「コンテンツストリーム」はコンテンツを含む任意のデータであり、例えば、テレビジョンの放送局から放送されるデジタル放送波であってよい。なお、座標情報５ｂまたは操作情報５ｃが履歴格納部１３に入力された場合、チューナ部４４は、所定の放送局からコンテンツストリーム８ａの受信を開始する。
【００２８】
制御部（表示制御装置）１０ａは、テレビジョン受像機１００が備えた各種の機能を統括的に制御するものである。制御部１０ａは、接触検知部１１、操作取得部１２、履歴格納部１３、操作判定部１４、画面出力部１５、ストリーム分離部２０、ビデオデコーダ部２１、グラフィックス処理部２２、オーディオデコーダ部２３、ブレンド部２４、および、ミキシング部２５を含む。
【００２９】
接触検知部（検知手段）１１は、ユーザによる操作が入力面４１に接触したことを検知する。具体的には、入力制御部４２から座標情報５ｂが入力された場合、接触検知部１１は、当該座標情報５ｂを履歴格納部１３に出力する。
【００３０】
操作取得部（取得手段）１２は、リモコン４５を用いたユーザによる操作を取得する。具体的には、リモコン受信部４３から操作情報５ｃが入力された場合、操作取得部１２は、当該操作情報５ｃを履歴格納部１３に出力する。
【００３１】
履歴格納部（格納手段）１３は、ユーザによる操作の履歴３を記憶部３０に格納する。具体的には、表示制御部５１が表示面５２にホーム画面を表示している場合に、ユーザによる操作として、接触検知部１１から座標情報５ｂが入力された場合（図２の（ｂ）の左図）、又は、操作取得部１２から操作情報５ｃが入力された場合（図２の（ａ）の左図）、履歴格納部１３は、当該座標情報５ｂまたは当該操作情報５ｃを、記憶部３０に格納された履歴３の最後尾に追加する。
【００３２】
また、リモコン４５を用いた操作、または、入力面４１に対する接触によってテレビジョン番組の視聴が開始された後、接触検知部１１から座標情報５ｂが入力された場合（図２の（ａ）および（ｂ）の中央図）、履歴格納部１３は、当該座標情報５ｂを操作判定部１４に出力する。
【００３３】
操作判定部１４は、履歴格納部１３から座標情報５ｂが入力された場合、記憶部３０に格納された履歴３を参照し、当該履歴３に含まれるユーザによる操作が、操作取得部１２によって取得された操作であるか（ホーム画面において、ユーザがリモコン４５を用いてテレビジョン番組の視聴を開始したか）、接触検知部１１によって検知された接触であるか（入力面４１をタッチしてテレビジョン番組の視聴を開始したか）を判定する。操作判定部１４は、判定した結果に関する情報（例えば、前者の場合は０、後者の場合は１を示すフラグなど）を含む判定結果６ａを、画面出力部１５に出力する。
【００３４】
また、操作判定部１４は、入力面４１に対するタッチ操作によって、テレビジョン番組の視聴が可能な状態か否かを判定する。ここで、「入力面４１に対するタッチ操作により、テレビジョン番組の視聴が可能な状態」とは、ユーザがタッチ操作を行うことによって、テレビジョン番組を視聴するためのアプリケーションを起動可能である状態（例えば、表示制御部５１が表示面５２にホーム画面を表示している状態など）をいう。逆に、「入力面４１に対するタッチ操作により、テレビジョン番組の視聴が不可能な状態」とは、テレビジョン番組を視聴するためのアプリケーションを起動不可能である状態（例えば、電子書籍リーダなどの他のアプリケーションが、表示面５２に全画面表示されている状態など）をいう。
【００３５】
ここで、履歴格納部１３によって、ユーザによる操作（リモコン４５を用いて行われた操作、および、入力面４１にタッチすることによって行われた操作）は、順次記憶部３０に履歴３として蓄積される。すなわち、当該履歴３は、ユーザがテレビジョン受像機１００を操作する傾向を示す時系列のデータとみなされ得る。本実施の形態においては、操作判定部１４は、直近に得られた（すなわち、最新の）上記操作のみに基づいて上記判定を行うが、上記時系列データを解析するための任意の手法（例えば、隠れマルコフモデルを用いた状態推定の手法など）を用いて上記判定を行ってもよい。この場合、直近に得られた上記操作だけでなく、これまでに得られた２以上の履歴３に基づいて上記判定を行えるため、テレビジョン受像機１００は、それぞれのユーザに適したインターフェースを、より確実に表示できる。
【００３６】
画面出力部（表示手段）１５は、ホーム画面が表示されている場合に、操作取得部１２によってユーザによるリモコン操作が取得された場合は、接触検知部１１によって接触したことが検知された後に、リモコンインターフェース１を表示し、接触検知部１１によって接触したことが検知された場合は、当該接触したことがさらに検知された後に、テレビ番組表２を表示する。具体的には、履歴３に含まれるユーザによる操作が、操作取得部１２によって取得された操作であることを示す判定結果６ａが、操作判定部１４から入力された場合、画面出力部１５は、リモコンインターフェース１を表示するよう指示する情報を含む表示情報７ａを、表示制御部５１に出力する。一方、接触検知部１１によって検知された接触であることを示す判定結果６ａが入力された場合、画面出力部１５は、テレビ番組表２を表示するよう指示する情報を含む表示情報７ａを、表示制御部５１に出力する。
【００３７】
ストリーム分離部２０は、チューナ部４４からコンテンツストリーム８ａが入力された場合、当該コンテンツストリーム８ａに含まれる映像ストリーム８ｂと音声ストリーム８ｃとを分離する。そして、ストリーム分離部２０は、上記映像ストリーム８ｂをビデオデコーダ部２１およびグラフィックス処理部２２に出力し、上記音声ストリーム８ｃをオーディオデコーダ部２３に出力する。
【００３８】
ビデオデコーダ部２１は、ストリーム分離部２０から入力された映像ストリーム８ｂを復号し、復号後の映像ストリーム８ｂに含まれる映像情報８ｄをブレンド部２４に出力する。
【００３９】
グラフィックス処理部２２は、ストリーム分離部２０から入力された映像ストリーム８ｂを復号し、復号後の映像ストリーム８ｂに含まれる映像情報８ｄに対して所定の処理を実行することにより、当該映像情報８ｄによって表される映像の輝度、シャープネス、または、コントラストを変更したり、当該映像のサイズを相似拡大または相似縮小（スケーリング）したりする。グラフィックス処理部２２は、上記所定の処理を実行した後の映像情報８ｅをブレンド部２４に出力する。
【００４０】
オーディオデコーダ部２３は、ストリーム分離部２０から入力された音声ストリーム８ｃを復号し、復号後の音声ストリーム８ｃに含まれる音声情報８ｆをミキシング部２５に出力する。
【００４１】
ブレンド部２４は、ビデオデコーダ部２１から入力された映像情報８ｄによって表される映像と、グラフィックス処理部２２から入力された映像情報８ｅによって表される映像とを合成し、１つの映像を含む映像情報８ｇを生成する。ブレンド部２４は、生成した映像情報８ｇを表示制御部５１に出力する。
【００４２】
ミキシング部２５は、オーディオデコーダ部２３から入力された音声情報８ｆに対して所定の処理を実行することによって、ゲインの調整などを行った後、上記所定の処理を実行した後の音声情報８ｈをＤＡＣ５３に出力する。
【００４３】
出力部５０は、外部に映像または音声を出力するものであり、表示制御部５１、表示面５２、ＤＡＣ５３、および、スピーカ５４を含む。
【００４４】
表示制御部５１は、画面出力部１５から表示情報７ａが入力された場合、または、ブレンド部２４から映像情報８ｇが入力された場合、当該表示情報７ａまたは当該映像情報８ｇによって表される映像を表示面５２に表示するように、当該表示面５２に含まれる表示素子を駆動する表示用データ７ｂを、当該表示面５２に出力する。また、表示制御部５１は、表示面５２にホーム画面（図２の（ａ）および（ｂ）の左図を参照）を表示することができる。
【００４５】
表示面５２は、表示制御部５１から入力される表示用データ７ｂを表示する表示機器（例えば、液晶ディスプレイなど）である。なお、各構成が有する機能を明示するために、図１は入力面４１と表示面５２とを分離して示すが、例えば入力面４１をタッチパネルで、表示面５２を液晶ディスプレイで実現する場合、図２の（ａ）または（ｂ）に示されるように、両者は一体として構成されてよい。
【００４６】
ＤＡＣ５３は、ミキシング部２５から入力された音声情報８ｈ（デジタル形式で表される情報）を、音声信号８ｉ（アナログ形式で表される信号）に変換し、変換後の当該音声信号８ｉをスピーカ５４に出力する。
【００４７】
スピーカ５４は、ＤＡＣ５３から入力された音声信号８ｉを音波に変換して外部に出力する。なお、スピーカ５４は、テレビジョン受像機１００に内蔵されたものであってもよいし、外部接続端子を介して外付けされたものであってもよい。
【００４８】
記憶部３０は、ユーザによる操作の履歴３を格納可能な記憶機器である。記憶部３０は、例えば、ハードディスク、ＳＳＤ（silicon state drive）、半導体メモリ、ＤＶＤなどで構成できる。
【００４９】
図１に示されるように、本実施の形態においては、すべての構成がテレビジョン受像機１００に含まれる（１チップ構成）。しかし、上記テレビジョン受像機１００に外付け可能な別チップにいくつかの構成を搭載し、他の構成と分離してもよい（２チップ構成）。当該２チップ構成の一例においては、ＴＶＳｏｃ部とＩＴＳｏｃ部とが、コネクタを介してＣＰＵ（Central Processing Unit）間の通信によって接続されている。ここで、ＴＶＳｏｃ部は、リモコン受信部４３、ＨＤＭＩ分離部（図１には示されていない、ＨＤＭＩ（登録商標）接続によって得られる信号を、ビデオ入力信号とオーディオ入力信号とに分離するもの）、ストリーム分離部２０、ビデオデコーダ部２１、グラフィックス処理部２２、オーディオデコーダ部２３、ブレンド部２４、ミキシング部２５、および、これらを統括的に制御する制御部を少なくとも含む。ＩＴＳｏｃ部は、入力領域判定部（図１には示されていない、タッチパネルに設定された２次元の座標軸に含まれる座標であって、ユーザがタッチした当該タッチパネル上の位置に対応する座標を出力するもの）、および、入力領域判定部を制御する制御部を少なくとも含む。なお、上記タッチパネルは、上記コネクタを介してＩＴＳｏｃ部と接続され、ＩＴＳｏｃ部とＨＤＭＩ分離部とは上記コネクタを介して、ＨＤＭＩによって接続される。
【００５０】
（テレビジョン受像機１００が実行する処理）
図３は、テレビジョン受像機１００が実行する処理の一例を示すフローチャートである。なお、以下の説明において、カッコ書きの「〜ステップ」は、テレビジョン受像機１００（制御部１０ａ）の制御方法の各ステップを表す。
【００５１】
操作判定部１４は、入力面４１に対するタッチ操作によって、テレビジョン番組の視聴が可能な状態（例えば、ホーム画面が表示された状態）か否かを判定する（ステップ１、以下の説明において「ステップ」を「Ｓ」と略記する）。視聴が可能な状態と判定された場合（Ｓ１においてＹＥＳ、ここではホーム画面が表示されていたとする）に、入力面４１および入力制御部４２が、ユーザがタッチした当該入力面４１における位置を検出したとき（Ｓ２においてＹＥＳ）、上記ホーム画面において、ユーザが当該入力面４１をタッチしてテレビジョン番組の視聴を開始したことを、接触検知部１１が検知する（Ｓ３、検知ステップ）。履歴格納部１３は、接触検知部１１から入力された座標情報５ｂを、記憶部３０に格納された履歴３の最後尾に追加し（Ｓ４）、チューナ部４４は、所定の放送局の周波数に同調することによって、表示面５２にテレビジョン番組を表示する（Ｓ５）。
【００５２】
一方、検出しなかったとき（Ｓ２においてＮＯ）であって、リモコン受信部４３がリモコン４５から発信された赤外線を受信したとき（Ｓ６においてＹＥＳ）、上記ホーム画面において、ユーザが上記リモコン４５を用いてテレビジョン番組の視聴を開始したことを、操作取得部１２が取得する（Ｓ７、取得ステップ）。履歴格納部１３は、操作取得部１２から入力された操作情報５ｃを、記憶部３０に格納された履歴３の最後尾に追加し（Ｓ４）、チューナ部４４は、所定の放送局の周波数に同調することによって、表示面５２にテレビジョン番組を表示する（Ｓ５）。なお、Ｓ１において視聴が不可能な状態と判定された場合（Ｓ１においてＮＯ）も、上記のＳ６およびＳ７の処理を実行する。
【００５３】
入力面４１および入力制御部４２が、ユーザがタッチした当該入力面４１における位置を検出した場合（Ｓ８においてＹＥＳ）、ユーザが上記テレビジョン番組の視聴中に入力面４１をタッチしたことを、接触検知部１１が検知する（Ｓ９）。操作判定部１４は、上記履歴３に含まれる操作のうち、ホーム画面が表示面５２に表示されている場合における操作を参照し、上記ホーム画面において、ユーザがリモコン４５を用いてテレビジョン番組の視聴を開始したか、入力面４１をタッチしてテレビジョン番組の視聴を開始したかを判定する（Ｓ１０）。リモコン４５を用いてテレビジョン番組の視聴を開始したと判定される場合（Ｓ１０においてＹＥＳ）、画面出力部１５は、リモコンインターフェース１を表示する（Ｓ１１、表示ステップ）。入力面４１をタッチしてテレビジョン番組の視聴を開始したと判定される場合（Ｓ１０においてＮＯ）、画面出力部１５は、テレビ番組表２を表示する（Ｓ１２、表示ステップ）。
【００５４】
〔実施形態２〕
図４および図５に基づいて、本発明の第２の実施の形態（実施形態２）を説明する。本実施の形態では、実施形態１に追加される構成や、実施形態１の構成とは異なる構成のみについて説明する。すなわち、実施形態１において記載された構成は、実施形態２にもすべて含まれ得る。また、実施形態１において記載された用語の定義は、実施形態２においても同じである。
【００５５】
（実施形態１との相違点）
実施形態１においては、履歴３に含まれる操作が、ユーザがリモコン４５を用いてテレビジョン番組の視聴を開始する操作であるか、入力面４１をタッチして開始する操作であるかに応じて、リモコンインターフェース１又はテレビ番組表２が表示された。
【００５６】
これに対して、実施形態２においては、ホーム画面におけるリモコン４５を用いた操作とリモコンインターフェース１を表示するコマンド（第１のコマンド）４ａとが対応付けられており、ホーム画面における入力面４１に対する接触とテレビ番組表２を表示するコマンド（第２のコマンド）４ｂとが対応付けられている。そして、上記操作または上記接触にそれぞれ対応付けられたコマンドが実行されることによって、リモコンインターフェース１またはテレビ番組表２が表示される。
【００５７】
すなわち、実施形態１において説明した効果と同様の効果（それぞれのユーザに適したインターフェースを表示することができる）が、実施形態２においても奏される。
【００５８】
（テレビジョン受像機１０１の構成）
図４は、テレビジョン受像機１０１の要部構成を示すブロック図である。図４に示されるように、テレビジョン受像機１０１は、テレビジョン受像機１００が備えた制御部１０ａに代えて制御部１０ｂを備えている。そして、当該制御部１０ｂは、上記制御部１０ａが備えた履歴格納部１３、操作判定部１４、および、画面出力部１５に代えて、コマンド格納部１６、および、コマンド実行部１７を備えている。
【００５９】
制御部（表示制御装置）１０ｂは、テレビジョン受像機１０１が備えた各種の機能を統括的に制御するものである。制御部１０ｂは、接触検知部１１、操作取得部１２、コマンド格納部１６、コマンド実行部１７、ストリーム分離部２０、ビデオデコーダ部２１、グラフィックス処理部２２、オーディオデコーダ部２３、ブレンド部２４、および、ミキシング部２５を含む。
【００６０】
コマンド格納部１６は、表示制御部５１が表示面５２にホーム画面を表示している場合に、ユーザによる操作として、接触検知部１１から座標情報５ｂが入力された場合（図２の（ｂ）の左図）、コマンド格納部１６は、テレビ番組表２を表示するコマンド４ｂを記憶部３０に格納する。操作取得部１２から操作情報５ｃが入力された場合（図２の（ａ）の左図）、コマンド格納部１６は、リモコンインターフェース１を表示するコマンド４ａを記憶部３０に格納する。また、コマンド格納部１６は、入力面４１に対するタッチ操作によって、テレビジョン番組の視聴が可能な状態か否かを判定する。
【００６１】
コマンド実行部（表示手段）１７は、コマンド格納部１６から座標情報５ｂが入力された場合、記憶部３０に格納されたコマンド（コマンド４ａまたはコマンド４ｂ）を実行することによって、リモコンインターフェース１またはテレビ番組表２を表示するよう指示する情報を含む表示情報７ａを、表示制御部５１に出力する。
【００６２】
なお、前述したように、実施形態１において記載された構成は、実施形態２にもすべて含まれ得る。例えば、履歴格納部１３、操作判定部１４、および、画面出力部１５は、いずれもコマンド格納部１６、および、コマンド実行部１７と併存させて、テレビジョン受像機１０１に含まれ得る。この場合、テレビジョン受像機１０１は、リモコンインターフェース１またはテレビ番組表２のいずれを表示させるかを、履歴またはコマンドのいずれか一方を用いて決定してよい。
【００６３】
（テレビジョン受像機１０１が実行する処理）
図５は、テレビジョン受像機１０１が実行する処理の一例を示すフローチャートである。なお、図５に示されるフローチャートは、図３に示されたフローチャートに含まれるＳ１、Ｓ４、Ｓ１０〜Ｓ１２に代えて、Ｓ１３〜Ｓ１６を含む。したがって、Ｓ１３〜Ｓ１６において実行される処理のみを、以下で説明する。
【００６４】
コマンド格納部１６は、入力面４１に対するタッチ操作によって、テレビジョン番組の視聴が可能な状態か否かを判定する（Ｓ１３）。
【００６５】
ホーム画面において、ユーザが入力面４１をタッチしてテレビジョン番組の視聴を開始したことを、接触検知部１１が検知すると（Ｓ３、検知ステップ）、コマンド格納部１６は、テレビ番組表２を表示するコマンド４ｂを記憶部３０に格納する（Ｓ１４）。上記ホーム画面において、ユーザが上記リモコン４５を用いてテレビジョン番組の視聴を開始したことを、操作取得部１２が取得すると（Ｓ７、取得ステップ）、コマンド格納部１６は、リモコンインターフェース１を表示するコマンド４ａを記憶部３０に格納する（Ｓ１４）。
【００６６】
ユーザが上記テレビジョン番組の視聴中に入力面４１をタッチしたことを、接触検知部１１が検知すると（Ｓ９）、コマンド実行部１７は、記憶部３０に格納されたコマンド（コマンド４ａまたはコマンド４ｂ）を実行することによって（Ｓ１５）、リモコンインターフェース１またはテレビ番組表２を表示する（Ｓ１６、表示ステップ）。
【００６７】
〔実施形態３〕
図６に基づいて、本発明の第３の実施の形態（実施形態３）を説明する。本実施の形態では、実施形態１または実施形態２に追加される構成や、実施形態１または実施形態２の構成とは異なる構成のみについて説明する。すなわち、実施形態１または実施形態２において記載された構成は、実施形態３にもすべて含まれ得る。また、実施形態１または実施形態２において記載された用語の定義は、実施形態３においても同じである。
【００６８】
（インターフェースの切り替え）
図６は、テレビジョン受像機（制御部１０ａまたは制御部１０ｂを備えるもの）に表示されるインターフェースの一例を表す模式図である。図６の（ａ）は、リモコン４５を用いた操作を模擬可能なリモコンインターフェース１を表し、（ｂ）は、受信可能なテレビジョン番組を選択可能に表示するテレビ番組表２を表す。
【００６９】
図６の（ａ）に示されるように、上記リモコンインターフェース１は、当該リモコンインターフェース１から上記テレビ番組表２に切り替える所定の操作を可能にするタブ９ａを含む。ユーザは、入力面４１において当該タブ９ａをタッチすることによって、当該リモコンインターフェース１から当該テレビ番組表２に切り替えることができる。
【００７０】
図６の（ｂ）に示されるように、上記テレビ番組表２は、当該テレビ番組表２から上記リモコンインターフェース１に切り替える所定の操作を可能にするボタン９ｂを含む。ユーザは、入力面４１において当該ボタン９ｂをタッチすることによって、当該テレビ番組表２から当該リモコンインターフェース１に切り替えることができる。
【００７１】
これにより、例えば、リモコンインターフェース１を使用することをユーザは望んでいるが、入力面４１をタッチしてテレビジョン番組の視聴を開始したことによって、テレビ番組表２が表示された場合であっても、当該ユーザは、入力インターフェースを切り替える所定の操作を行うだけで、簡単に上記テレビ番組表２を上記リモコンインターフェース１に切り替えることができる（両者が逆の場合にも同じことが言える）。
【００７２】
したがって、上記テレビジョン受像機は、それぞれのユーザに適したインターフェースを、より確実に表示することができる。
【００７３】
〔ソフトウェアによる実現例〕
テレビジョン受像機１００またはテレビジョン受像機１０１の制御ブロックは、集積回路（ＩＣチップ）等に形成された論理回路（ハードウェア）によって実現してもよいし、ＣＰＵを用いてソフトウェアによって実現してもよい。後者の場合、テレビジョン受像機１００またはテレビジョン受像機１０１は、各機能を実現するソフトウェアであるプログラム（制御プログラム）の命令を実行するＣＰＵ、上記プログラムおよび各種データがコンピュータ（または、ＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。本発明は、上記プログラムが電子的な伝送によって具現化された、搬送波に埋め込まれたデータ信号の形態でも実現され得る。
【００７４】
〔まとめ〕
本発明の態様１に係る表示制御装置は、ユーザによる操作が入力面（４１）に接触したことを検知する検知手段（接触検知部１１）と、前記入力面とは異なる入力機器（リモコン４５）を用いたユーザによる操作を取得する取得手段（操作取得部１２）とを備えた表示制御装置（制御部１０ａ、制御部１０ｂ）であって、前記ユーザによる操作を待ち受ける画面が表示面（５２）に表示されている場合に、前記取得手段によって取得された操作によってコンテンツの視聴が開始されたときは、前記検知手段によって接触したことが検知された後に、第１の入力インターフェース（リモコンインターフェース１）を前記表示面に表示し、前記検知手段によって検知された接触によって前記コンテンツの視聴が開始されたときは、前記検知手段によってさらに接触したことが検知された後に、前記第１の入力インターフェースとは異なる第２の入力インターフェース（テレビ番組表２）を前記表示面に表示する表示手段（画面出力部１５、コマンド実行部１７）を備えている。
【００７５】
上記構成によれば、上記表示制御装置は、コンテンツの視聴を開始するための操作に応じてインターフェースを変更する。具体的には、ユーザによる操作を待ち受ける画面において、ユーザが上記入力機器（例えば、リモコン）を用いてコンテンツの視聴を開始した場合、上記表示制御装置は、上記第１の入力インターフェースを表示する。一方、ユーザが上記入力面（例えば、タッチパネル）に対する接触によってコンテンツの視聴を開始した場合、上記第２の入力インターフェースを表示する。
【００７６】
これにより、上記表示制御装置は、インターフェースの操作に対する適応力が異なるユーザが混在する場合であっても、それぞれのユーザに適したインターフェースを表示することができる。
【００７７】
また、本発明の態様２に係る表示制御装置は、上記態様１において、前記ユーザによる操作を待ち受ける画面が前記表示面に表示されているときの前記ユーザによる操作の履歴（３）を、所定の記憶部（３０）に格納する格納手段（履歴格納部１３）をさらに備え、前記表示手段は、前記所定の記憶部に格納した前記ユーザによる操作の履歴が、前記取得手段によって取得された前記入力機器を用いた操作である場合は、前記第１の入力インターフェースを表示し、前記検知手段によって検知された前記入力面に対する接触である場合は、前記第２の入力インターフェースを表示してよい。
【００７８】
上記構成によれば、上記表示制御装置は、上記所定の記憶部に格納された操作の履歴（上記ユーザによる操作を待ち受ける画面が上記表示面に表示されているときのもの）を参照し、当該履歴に含まれる上記操作または上記接触に応じて、上記第１の入力インターフェースまたは上記第２の入力インターフェースを表示する。これにより、上記表示制御装置は、それぞれのユーザに適したインターフェースを表示することができる。
【００７９】
また、本発明の態様３に係る表示制御装置では、上記態様１または態様２において、前記ユーザによる操作を待ち受ける画面が前記表示面に表示されているときに、前記取得手段によって取得される前記入力機器を用いた操作と、前記第１の入力インターフェースを表示する第１のコマンド（コマンド４ａ）とが対応付けられており、前記ユーザによる操作を待ち受ける画面が前記表示面に表示されているときに、前記検知手段によって検知される前記入力面に対する接触と、前記第２の入力インターフェースを表示する第２のコマンド（コマンド４ｂ）とが対応付けられており、前記表示手段（コマンド実行部１７）は、前記コンテンツの視聴が開始された後、前記検知手段によって接触したことが検知された場合、前記ユーザによる操作を待ち受ける画面が前記表示面に表示されているときに、前記取得手段によって前記入力機器を用いた操作が取得されたか、または、前記検知手段によって前記入力面に対する接触が検知されたかに応じて、前記操作または前記接触にそれぞれ対応付けられたコマンドを実行することによって、前記第１の入力インターフェースまたは前記第２の入力インターフェースを表示してよい。
【００８０】
上記構成によれば、上記表示制御装置は、コンテンツの視聴中に上記検知手段によって接触したことが検知された場合、検知される以前に、上記ユーザによる操作を待ち受ける画面が上記表示面に表示されているときに行われた上記操作または上記接触に応じて、上記操作または上記接触に対応付けられたコマンドを実行することにより、それらに対応する入力インターフェースを表示できる。これにより、上記表示制御装置は、それぞれのユーザに適したインターフェースを表示することができる。
【００８１】
また、本発明の態様４に係る表示制御装置では、上記態様１から態様３のいずれか１つの態様において、前記表示手段は、前記入力機器を用いた少なくとも一部の操作によって入力される情報を入力可能なグラフィカルユーザインターフェースを、前記入力機器と同じ形態または異なる形態で、前記第１の入力インターフェースとして表示してよい。
【００８２】
上記構成によれば、上記第１の入力インターフェースは、上記入力機器を用いた少なくとも一部の操作によって入力される情報を入力可能なグラフィカルユーザインターフェースである。なお、上記第１の入力インターフェースは、上記入力機器を用いて行われる操作によって入力される情報と同じ情報が入力可能となるグラフィカルユーザインターフェースでありさえすれば、当該第１の入力インターフェースの表示形態も含めて、どのようなインターフェースであってもよい。言い換えれば、上記入力機器を用いて操作した場合と、上記第１の入力インターフェースを用いて操作した場合とで、ユーザが覚える操作感が同じでありさえすればよく、上記第１の入力インターフェースの表示の形態を、上記入力機器に似せる必要はない。
【００８３】
前述したように、上記表示制御装置は、上記した２つのインターフェースをユーザの操作に応じて切り替えて表示できる。したがって、上記表示制御装置は、上記入力機器を使い慣れたユーザには上記第１の入力インターフェースを表示させることができる。これにより、上記表示制御装置は、一方のユーザに配慮すれば、他方のユーザに配慮を欠くというユーザビリティに関するトレードオフを解消し、それぞれのユーザに適したインターフェースを表示することができる。
【００８４】
また、本発明の別態様に係る表示制御装置では、上記態様のいずれか１つの態様において、前記表示手段は、前記第１の入力インターフェースまたは前記第２の入力インターフェースを表示した後、入力インターフェースを切り替える所定の操作がユーザによって行われた場合、当該第１の入力インターフェースと当該第２の入力インターフェースとを切り替えてよい。
【００８５】
上記構成によれば、例えば、第１の入力インターフェースを使用することをユーザは望んでいるが、上記入力面に接触してコンテンツの視聴を開始したことによって、第２の入力インターフェースが表示された場合であっても、当該ユーザは、入力インターフェースを切り替える所定の操作を行うだけで、簡単に上記第２の入力インターフェースを上記第１の入力インターフェースに切り替えることができる（両者が逆の場合にも同じことが言える）。
【００８６】
したがって、上記表示制御装置は、それぞれのユーザに適したインターフェースを、より確実に表示することができる。
【００８７】
また、本発明の別態様に係るテレビジョン受像機は、上記態様のいずれか１つの態様に係る表示制御装置を備えてよい。
【００８８】
したがって、上記テレビジョン受像機は、上記態様１から態様５のいずれか１つの態様に係る表示制御装置と同様の効果を奏する。
【００８９】
また、本発明の別態様に係る表示制御装置の制御方法は、ユーザによる操作が入力面に接触したことを検知する検知ステップ（Ｓ３）と、前記入力面とは異なる入力機器を用いたユーザによる操作を取得する取得ステップ（Ｓ７）とを含む表示制御装置の制御方法であって、前記ユーザによる操作を待ち受ける画面が表示面に表示されている場合に、前記取得ステップにおいて取得した操作によってコンテンツの視聴が開始されたときは、前記検知ステップにおいて接触したことを検知した後に、第１の入力インターフェースを前記表示面に表示し、前記検知ステップにおいて検知した接触によって前記コンテンツの視聴が開始されたときは、前記検知ステップにおいてさらに接触したことを検知した後に、前記第１の入力インターフェースとは異なる第２の入力インターフェースを前記表示面に表示する表示ステップ（Ｓ１１、Ｓ１２、Ｓ１６）を含んでいる。
【００９０】
したがって、上記表示制御装置の制御方法は、上記態様１に係る表示制御装置と同様の効果を奏する。
【００９１】
本発明の各態様に係る表示制御装置は、コンピュータによって実現されてもよく、この場合、コンピュータを上記表示制御装置が備えた各手段として動作させることによって、上記表示制御装置をコンピュータにおいて実現させる表示制御装置の制御プログラム、および、当該制御プログラムを記録したコンピュータ読み取り可能な記録媒体も、本発明の範疇に入る。
【００９２】
本発明は上述したそれぞれの実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。さらに、各実施の形態にそれぞれ開示された技術的手段を組み合わせることにより、新しい技術的特徴を形成できる。
【産業上の利用可能性】
【００９３】
本発明は、テレビジョン受像機、タブレット端末、スマートフォン、パーソナルコンピュータなど、コンテンツを出力可能な表示制御装置等に広く適用することができる。
【符号の説明】
【００９４】
１    リモコンインターフェース（第１の入力インターフェース）
２    テレビ番組表（第２の入力インターフェース）
３    履歴
４ａ  コマンド（第１のコマンド）
４ｂ  コマンド（第２のコマンド）
１０ａ  制御部（表示制御装置）
１０ｂ  制御部（表示制御装置）
１１    接触検知部（検知手段）
１２    操作取得部（取得手段）
１３    履歴格納部（格納手段）
１５    画面出力部（表示手段）
１７    コマンド実行部（表示手段）
３０    記憶部
４１    入力面
４５    リモコン（入力機器）
５２    表示面
１００    テレビジョン受像機
１０１    テレビジョン受像機
【図１】
2015060468.tif 000003
【図２】
2015060468.tif 000004
【図３】
2015060468.tif 000005
【図４】
2015060468.tif 000006
【図５】
2015060468.tif 000007
【図６】
2015060468.tif 000008